(57)【要約】【課題】小型化でき、しかも取付作業性を高めることができるスタンド、及びスタンドを小分けして表示装置本体とともに梱包することができる表示装置を提供する。【解決手段】床等の被載置部に接触する第１接触部３１及び該第１接触部３１から上方へ離隔した部位に開設されている第１孔５１を有し、表示装置本体１の前方への転倒を防ぐための複数の第１脚体３と、前記被載置部に接触する第２接触部４１及び該第２接触部４１から上方へ離隔した部位に開設されている第２孔５２を有し、表示装置本体１の後方への転倒を防ぐための複数の第２脚体４とを備え、第１接触部３１及び第１孔５１間の距離と、第２接触部４１及び第２孔５２間の距離とをほぼ等しくし、共通の雄螺子６で第１脚体３及び第２脚体４を取付けることができるようにした。【選択図】図８
2009284077.tif 000002
【特許請求の範囲】
【請求項１】
被載置部に載置され、被支持物を支持するスタンドにおいて、前記被載置部に接触する第１接触部及び該第１接触部から上方へ離隔した部位に開設されている第１孔を有し、前記被支持物の一方への転倒を防ぐための第１脚体複数と、前記被載置部に接触する第２接触部及び該第２接触部から上方へ離隔した部位に開設されている第２孔を有し、前記被支持物の他方への転倒を防ぐための第２脚体複数とを備え、前記第１接触部及び第１孔間の距離と、前記第２接触部及び第２孔間の距離とはほぼ等しいことを特徴とするスタンド。
【請求項２】
前記第１脚体は略Ｌ字形をなし、前記第２脚体は前記第２接触部及び第２孔間が横方向へ偏倚している請求項１記載のスタンド。
【請求項３】
前記第２脚体は、溝を有する脚体本体、及び前記溝内に前記脚体本体と一体に成形され、前記被支持物に取付けられる取付片を有し、該取付片に前記第２孔が配されている請求項１又は２記載のスタンド。
【請求項４】
前側に表示面を有し、前記被支持物を構成する表示装置本体と、該表示装置本体に取付けられ、該表示装置本体を支持する請求項１から３のいずれか一つに記載のスタンドとを備えることを特徴とする表示装置。
【請求項５】
前記表示装置本体は、前記第１孔及び第２孔へ挿入される雄螺子が嵌入される第３孔を有し、前記第１脚体及び第２脚体が取付けられる複数の被取付部材を備える請求項４記載の表示装置。
【請求項６】
前記表示装置本体の周縁部及び後側を被覆し、前記第３孔と対応する部位から前方へ延出されている結合凸部及び該結合凸部を貫通する第４孔を有するキャビネットを備える請求項５記載の表示装置。
【請求項７】
前記キャビネットは、前記表示装置本体の周縁部前側を被覆し、前記第３孔と対応する部位から後方へ延出された第２結合凸部及び該第２結合凸部を貫通する第５孔を有するキャビネット前分体と、前記表示装置本体の後側を被覆し、前記第４孔を有するキャビネット後分体とを備える請求項６記載の表示装置。
【請求項８】
前記結合凸部は、前記第２脚体の一部が嵌入される嵌入孔を有する請求項６記載の表示装置。 
【発明の詳細な説明】
【技術分野】
【０００１】
本発明は液晶表示装置、プラズマ表示装置等の表示装置に取付けられるスタンド及び表示装置に関する。
【背景技術】
【０００２】
液晶テレビジョン等の薄型の表示装置は、前側に表示面を有し、後側に補強用の柱形部材を有する表示装置本体と、該表示装置本体の周縁部及び後側を被覆するキャビネットと、前記柱形部材夫々の下部に複数本の雄螺子により固定された二つの取付具と、取付具夫々に取付けられ、前記表示装置本体を起立状態で支持するスタンドとを備える（例えば、特許文献１参照）。
【０００３】
スタンドは平面視略Ｈ字形をなし、床面に載置されるベース部と、該ベース部の横方向へ離隔した二箇所に複数本の雄螺子により結合された二つの脚部とを有し、脚部夫々の上部が前記取付具夫々に雄螺子により取付けられ、表示装置本体の前後方向への転倒を防ぐように構成されている。
【０００４】
また、製造された液晶テレビジョン等の表示装置は、段ボール箱に収納して梱包される。表示装置が梱包される場合、表示装置本体にスタンドが取付けられた状態で段ボール箱内に収納されるか、又は、スタンドを表示装置本体に取付けない状態で、キャビネットが取付けられた表示装置本体及びスタンドが一つの段ボール箱内に収納される。
【特許文献１】特開２００６−３３７７７６号公報
【発明の開示】
【発明が解決しようとする課題】
【０００５】
ところが、比較的大型の薄型テレビジョンは、スタンドのベース部、及び二つの脚部が大型になり、スタンドの全体が大型になるため、特許文献１のように一つのベース部に二つの脚部が結合されるスタンドを備える表示装置にあっては、表示装置本体にスタンドが取付けられた状態で梱包される場合でも、また、スタンドを表示装置本体に取付けない状態で梱包される場合でも、スタンドによる収納容積が多くなり、段ボール箱が大型になる。因って、梱包された表示装置を車両、船舶等の輸送機に積載して輸送する場合、最大積載容積に対する積載個数が少なくなり、輸送費用が高くなり、改善策が要望されていた。
【０００６】
本発明は斯かる事情に鑑みてなされたものであり、主たる目的は被載置部に接触する第１接触部及び第１接触部から上方へ離隔した部位に開設されている第１孔を有し、被支持物の一方への転倒を防ぐための第１脚体複数と、被載置部に接触する第２接触部及び第２接触部から上方へ離隔した部位に開設されている第２孔を有し、被支持物の他方への転倒を防ぐための第２脚体複数とを備え、第１接触部及び第１孔間の距離と、前記第２接触部及び第２孔間の距離とをほぼ等しくすることにより、スタンドを小型・軽量化でき、しかも、スタンドの取付作業性を高めることができるスタンドを提供する点にあり、また、スタンドを小分けして表示装置本体とともに梱包することができる表示装置を提供する点にある。
【課題を解決するための手段】
【０００７】
本発明に係るスタンドは、被載置部に載置され、被支持物を支持するスタンドにおいて、前記被載置部に接触する第１接触部及び該第１接触部から上方へ離隔した部位に開設されている第１孔を有し、前記被支持物の一方への転倒を防ぐための第１脚体複数と、前記被載置部に接触する第２接触部及び該第２接触部から上方へ離隔した部位に開設されている第２孔を有し、前記被支持物の他方への転倒を防ぐための第２脚体複数とを備え、前記第１接触部及び第１孔間の距離と、前記第２接触部及び第２孔間の距離とはほぼ等しいことを特徴とする。
【０００８】
この発明にあっては、被支持物の一方への転倒を防ぐための第１脚体複数と、被支持物の他方への転倒を防ぐための第２脚体複数とが夫々分かれており、小分けした状態で被支持物とともに梱包することができるため、梱包箱のスタンドによる収納容積を低減でき、梱包箱を小型化でき、輸送費用を低減できる。また、第１孔及び第２孔に挿入される共通の取付部材により第１脚体及び第２脚体を被支持物に取付けることができるため、開梱される際、第１脚体及び第２脚体を被支持物に簡易に取付けることができ、スタンドの取付作業性を高めることができる。
【０００９】
また、本発明に係るスタンドは、前記第１脚体は略Ｌ字形をなし、前記第２脚体は前記第２接触部及び第２孔間が横方向へ偏倚している構成とするのが好ましい。
この発明にあっては、第１孔及び第２孔に挿入される取付部材により第１脚体及び第２脚体を被支持物に取付けた際、第１接触部及び第２接触部間の距離を比較的長くすることができ、第２接触部を小型化でき、第２脚体の全体をより一層小型・軽量化できる。
【００１０】
また、本発明に係るスタンドは、前記第２脚体は、溝を有する脚体本体、及び前記溝内に前記脚体本体と一体に成形され、前記被支持物に取付けられる取付片を有し、該取付片に前記第２孔が配されている構成とするのが好ましい。
この発明にあっては、溝を有する脚体本体の剛性を取付片により高めつつ軽量化することができ、また、第２脚体を成形により簡易に得ることができる。
【００１１】
また、本発明に係る表示装置は、前側に表示面を有し、前記被支持物を構成する表示装置本体と、該表示装置本体に取付けられ、該表示装置本体を支持する前述した発明のスタンドとを備えることを特徴とする。
【００１２】
この発明にあっては、表示装置本体の一方への転倒を防ぐための第１脚体複数と、及び表示装置本体の他方への転倒を防ぐための第２脚体複数とが夫々分かれており、小分けした状態で表示装置本体とともに梱包することができるため、梱包箱のスタンドによる収納容積を低減でき、梱包箱を小型化でき、輸送費用を低減できる。また、第１孔及び第２孔に挿入される取付部材により第１脚体及び第２脚体を表示装置本体に取付けることができるため、開梱される際、スタンドを表示装置本体に簡易に取付けることができ、スタンドの取付作業性を高めることができる。
【００１３】
また、本発明に係る表示装置は、前記表示装置本体は、前記第１孔及び第２孔へ挿入される雄螺子が嵌入される第３孔を有し、前記第１脚体及び第２脚体が取付けられる複数の被取付部材を備える構成とするのが好ましい。
この発明にあっては、第１孔及び第２孔に挿入される雄螺子を第３孔に嵌入することにより、第１脚体及び第２脚体を被取付部材に取付けることができるため、第１脚体及び第２脚体の取付部の剛性を高めることができる。
【００１４】
また、本発明に係る表示装置は、前記表示装置本体の周縁部及び後側を被覆し、前記第３孔と対応する部位から前方へ延出されている結合凸部及び該結合凸部を貫通する第４孔を有するキャビネットを備える構成とするのが好ましい。
この発明にあっては、第４孔に挿入されるキャビネット取付用の雄螺子を第１孔、第２孔及び第３孔に挿入することにより、第１脚体及び第２脚体を、キャビネット取付用の雄螺子により取付けることができ、スタンド取付用の雄螺子をなくすることができ、コストを低減できる。
【００１５】
また、本発明に係る表示装置は、前記キャビネットは、前記表示装置本体の周縁部前側を被覆し、前記第３孔と対応する部位から後方へ延出された第２結合凸部及び該第２結合凸部を貫通する第５孔を有するキャビネット前分体と、前記表示装置本体の後側を被覆し、前記第４孔を有するキャビネット後分体とを備える構成とするのが好ましい。
この発明にあっては、第４孔に挿入されるキャビネット後分体取付用の雄螺子を第１孔、第２孔、第３孔及び第５孔に挿入することにより、第１脚体、第２脚体及びキャビネット前分体を、キャビネット後分体取付用の雄螺子により取付けることができ、スタンド取付用の雄螺子をなくすることができるとともに、キャビネット前分体取付用の雄螺子の本数を削減でき、コストを低減できる。
【００１６】
また、本発明に係る表示装置は、前記結合凸部は、前記第２脚体の一部が嵌入される嵌入孔を有する構成とするのが好ましい。
この発明にあっては、第２脚体に加わる荷重の一部を結合凸部からキャビネット後分体に加えることができるため、第２脚体取付部の剛性を高めることができる。また、第２脚体の取付片と被取付部材との間の距離を比較的短くすることができ、第４孔に挿入される雄螺子を第１孔、第２孔及び第３孔へ容易に挿入することができ、スタンドの取付作業性を向上できる。
【発明の効果】
【００１７】
本発明によれば、スタンドは被支持物の一方への転倒を防ぐための第１脚体複数と、被支持物の他方への転倒を防ぐための第２脚体複数とが分かれているため、スタンドを小型化でき、しかも、第１孔及び第２孔へ挿入する共通の取付部材により第１脚体及び第２脚体を共に取付けることができるため、スタンドの取付作業性を高めることができる。
【００１８】
また、本発明によれば、表示装置本体の前方への転倒を防ぐための第１脚体複数と、表示装置本体の後方への転倒を防ぐための第２脚体複数とが分かれている状態で表示装置本体とともにスタンドを梱包することができるため、梱包箱のスタンドによる収納容積を低減でき、梱包箱を小型化でき、輸送費用を低減できる。因って、表示装置の販売コストを低減できる。また、第１孔及び第２孔に挿入される共通の取付部材により第１脚体及び第２脚体を表示装置本体に取付けることができるため、開梱される際、スタンドを表示装置本体に簡易に取付けることができ、スタンドの取付作業性を高めることができる。
【発明を実施するための最良の形態】
【００１９】
以下本発明をその実施の形態を示す図面に基づいて詳述する。
図１は本発明に係る表示装置の構成を示す正面側の斜視図、図２は表示装置の構成を示す正面図、図３は表示装置の構成を示す背面図、図４は表示装置の構成を示す背面側の斜視図、図５は表示装置のキャビネット後分体を取外した状態を示す背面側の斜視図、図６は被取付部材の構成を示す背面図、図７は表示装置のスタンドを取外した状態を示す背面側の斜視図、図８は表示装置の要部の構成を示す縦断側面図、図９は表示装置の要部の構成を示す拡大した縦断側面図、図１０は表示装置の要部の構成を示す分解した縦断側面図である。
【００２０】
図示した表示装置はテレビ画像を表示する表示面を前側に有し、略直方体をなす表示装置本体１と、該表示装置本体の周縁部及び後側を被覆するキャビネット２と、表示装置本体１の後側下部に取外しを可能に取付けられ、表示装置本体１を起立状態で支持するスタンドＡとを備える薄型の液晶テレビジョンである。
【００２１】
表示装置本体１は前側に表示面１１ａを有する液晶の表示パネル１１と、該表示パネル１１の後側に配置された光学シート１２、光源１３及び電源基板等のテレビ基板１４と、これら表示パネル１１等の部品を支持する支持体１５と、該支持体１５の後側下部両側に配されたスピーカ１６，１６とを備える。
【００２２】
支持体１５は直方体をなす横長の枠部材及び周縁部が該枠部材に結合され該枠部材の後側端を閉鎖する蓋板を有するケース１５ａと、前記蓋板の後側で長手方向の２箇所に配され、上下端が前記枠部材及び蓋板に結合されたケース補強用の被取付部材１５ｂ，１５ｂとを備え、ケース１５ａの内側に光源１３が収容支持され、後側にテレビ基板１４が配されている。
【００２３】
二つの被取付部材１５ｂ，１５ｂはケース１５ａを補強するもので、平面視略波形をなし、凹条及び凸条が連なる条体からなり、凹条の下端から下方へ延出された板状の延出部を、前後方向へ貫通する第３孔５３を有する被取付部１５ｃ，１５ｃとしてある。二つの被取付部１５ｃ，１５ｃはスピーカ１６，１６の間に配されている。
【００２４】
キャビネット２は表示パネル１１の外周り及びスピーカ１６，１６の前側を被覆するキャビネット前分体２１と、支持体１５の後側及びスピーカ１６，１６を被覆するキャビネット後分体２２とを有し、キャビネット前分体２１及びキャビネット後分体２２の周縁部が支持体１５に複数本の雄螺子により取付けられている。
【００２５】
キャビネット前分体２１は、環板部２１ａ及び該環板部２１ａの周縁から後方へ延出された角筒部２１ｂを有し、環板部２１ａの下部にはスピーカ１６，１６を支持するためのスピーカ支持部２１ｃが設けられており、該スピーカ支持部２１ｃに、第３孔５３，５３と対応する部位から被取付部１５ｃ，１５ｃに向けて後方へ延出された筒状の二つの第２結合凸部２１ｄ，２１ｄが設けられ、該第２結合凸部２１ｄ，２１ｄに、第３孔５３，５３に対応する第５孔５５，５５が前後方向へ開設されている。第２結合凸部２１ｄ，２１ｄの端部には、キャビネット前分体２１が支持体１５の周縁部に結合されるとき第３孔５３，５３に嵌入される嵌入部２１ｅ，２１ｅが設けられ、該嵌入部２１ｅ，２１ｅの第３孔５３，５３への嵌入により第２結合凸部２１ｄ，２１ｄの第３孔５３，５３に対する位置を正確に決めることができるように構成されている。
【００２６】
キャビネット後分体２２は深皿形をなし、スピーカ１６，１６を被覆する下側の横方向へ離隔した部位には、第３孔５３，５３と対応する部位から被取付部１５ｃ，１５ｃと対向する部位に向けて前方へ延出された筒状の二つの結合凸部２２ａ，２２ａが横方向へ離隔して設けられ、該結合凸部２２ａ，２２ａに、第３孔５３，５３に対応する第４孔５４，５４が前後方向へ開設されている。キャビネット後分体２２の周縁部はキャビネット前分体２１の角筒部２１ｂの内側に嵌合されており、また、キャビネット後分体２２における周縁部の下側で、被取付部１５ｃ，１５ｃに対応する部位には、角筒部２１ｂの端縁に沿って上方へ貫通する挿通孔２２ｂ，２２ｂが開設されている。
【００２７】
結合凸部２２ａ，２２ａは被取付部１５ｃ，１５ｃと僅かに離隔する部位へ延出され、該結合凸部２２ａ，２２ａと被取付部１５ｃ，１５ｃとの間で後記する第１脚体３，３の第１取付部３２，３２を挟み込むように構成されている。また、結合凸部２２ａ，２２ａには後記する第２脚体４，４の取付片側が嵌入される嵌入孔２２ｃ，２２ｃが開設されている。
【００２８】
スタンドＡは被支持物としての表示装置本体１の前方への転倒を防ぐための二つの第１脚体３，３と、表示装置本体１の後方への転倒を防ぐための二つの第２脚体４，４とを備える。
【００２９】
第１脚体３，３は、被載置部としての床面に接触する矩形板状の第１接触部３１，３１と、該第１接触部３１，３１の一縁（後縁）から上方へ立上がり、挿通孔２２ｂ，２２ｂからキャビネット２内へ挿入される矩形板状の第１取付部３２，３２とが略Ｌ字形に一体に成形された合成樹脂製であり、第１取付部３２，３２の第１接触部３１，３１から上方へ離隔した部位に、第３孔５３，５３に対応する第１孔５１，５１が開設されている。第１接触部３１，３１の下面には緩衝材３３，３３が設けられており、第１接触部３１，３１が第１取付部３２，３２よりも前側となるように配される。
【００３０】
第１取付部３２，３２には、第１取付部３２，３２が挿通孔２２ｂ，２２ｂへ挿入されるとき、被取付部１５ｃ，１５ｃが嵌合される嵌合凹部が設けられ、被取付部１５ｃ，１５ｃの嵌合凹部への嵌合により第１孔５１，５１の第３孔５３に対する位置を正確に決めることができるように構成されている。
【００３１】
第２脚体４，４は、被載置部としての床面に接触する第２接触部４１，４１、該第２接触部４１，４１に関して上方へ偏倚する偏倚部４２，４２及び該偏倚部４２，４２に関して第２接触部４１，４１と反対側へ偏倚する第２取付部４３，４３を有する脚体本体４０，４０と、該脚体本体４０，４０を被取付部１５ｃ，１５ｃに取付ける取付片４４，４４とが一体に成形された合成樹脂製である。
【００３２】
脚体本体４０，４０は、周面の一部が上方へ開放された溝を有する半パイプ形をなし、第２取付部４３，４３の溝内に取付片４４，４４が一体に設けられており、長手方向が前後となるように配される。第２接触部４１，４１の下面には緩衝材４５，４５が設けられている。
【００３３】
取付片４４，４４の第２接触部４１，４１から上方へ離隔した部位には、第３孔５３，５３に対応する第２孔５２，５２が開設されている。第１接触部３１，３１から第１孔５１，５１までの上下の距離と、第２接触部４１，４１から第２孔５２，５２までの上下の距離とはほぼ等しくなっており、第１孔５１，５１及び第２孔５２，５２に挿入する取付部材としての１本の雄螺子６，６により第１脚体３，３及び第２脚体４，４を取付けることができるように構成されている。また、第２取付部４３，４３には、該第２取付部４３，４３が嵌入孔２２ｃ，２２ｃに嵌入されるとき、嵌入孔２２ｃ，２２ｃの一部に接触して第２取付部４３，４３を仮止めする仮止め部が設けられている。
【００３４】
以上のように構成された表示装置は、キャビネット２が取付けられている表示装置本体１にスタンドＡを取付けない状態で、表示装置本体１及びスタンドＡが一つの段ボール箱内に収納され、梱包される。この際、スタンドＡは、二つの第１脚体３，３と、二つの第２脚体４，４とに分かれており、スタンドＡの全体が小型に形成されているため、スタンドＡによる段ボール箱の収納容積を比較的少なくすることができ、段ボール箱を小型にできる。因って、梱包された表示装置を車両、船舶等の輸送機に積載して輸送する場合、最大積載容積に対する積載個数を増加でき、輸送費用を低減でき、ひいては表示装置の販売コストを低減できる。
【００３５】
輸送された表示装置は開梱され、キャビネット２が取付けられている表示装置本体１にスタンドＡが取付けられる。
【００３６】
スタンドＡの取付けは、表示装置本体１におけるキャビネット後分体２２の下側の挿通孔２２ｂ，２２ｂからキャビネット２内へ第１脚体３，３の第１取付部３２，３２を挿入する。このとき、第１取付部３２，３２の嵌合凹部に被取付部１５ｃ，１５ｃが嵌合され、第１孔５１，５１の第３孔５３，５３に対する位置を正確に決めることができる。次に、結合凸部２２ａ，２２ａの嵌入孔２２ｃ，２２ｃへ第２脚体４，４の第２取付部４３，４３を嵌入する。このとき、第２孔５２，５２の第３孔５３，５３に対する位置を正確に決めることができ、また、第２取付部４３，４３の仮止め部が嵌入孔２２ｃ，２２ｃの一部に接触し、第２取付部４３，４３を仮止めすることができる。この仮止め状態で、第１孔５１，５１、第２孔５２，５２、第３孔５３，５３、第４孔５４，５４及び第５孔５５，５５が対応しているため、第２脚体４，４の溝内へ挿入する１本の雄螺子６，６を第２孔５２，５２へ挿入して捩じ込み操作を行うことにより、該雄螺子６，６を第５孔５５，５５に捩じ込むことができ、第２脚体４，４の取付片４４，４４と第２結合凸部２１ｄ，２１ｄとの間で結合凸部２２ａ，２２ａ、第１取付部３２，３２及び被取付部１５ｃ，１５ｃを前後に挾着し、第１脚体３，３及び第２脚体４，４を被取付部１５ｃ，１５ｃに取付けることができるとともに、キャビネット前分体２１の第２結合凸部２１ｄ，２１ｄ及びキャビネット後分体２２の結合凸部２２ａ，２２ａを被取付部１５ｃ，１５ｃに固定することができる。
【００３７】
このように第１脚体３，３及び第２脚体４，４を、支持体１５を補強する被取付部材１５ｂ，１５ｂに取付けるため、第１脚体３，３及び第２脚体４，４の取付部の剛性を高めることができる。また、キャビネット２取付用の雄螺子により第１脚体３，３及び第２脚体４，４を取付けることができるため、スタンドＡ専用の雄螺子をなくすることができ、部品点数を削減できるとともに、スタンドＡの取付作業性を高めることができる。
【００３８】
図１１は第２脚体４，４の断面形状を示す説明図である。第２脚体４，４は、図７で示すように断面半円形である他、図１１(a) 〜(d) の断面形状としてもよく、第２脚体４，４の断面形状は特に制限されない。図１１(a) は周方向の厚さが異なる略Ｕ字形をなしており、図１１(b) は凹形をなしており、図１１(c) は逆Ｔ字形をなし、二つの取付片４４，４４が設けられており、図１１(d) はＬ字形をなしている。
【００３９】
尚、以上説明した実施の形態では、補強用の被取付部材１５ｂ，１５ｂを有する支持体１５の被取付部材１５ｂ，１５ｂに第１脚体３，３及び第２脚体４，４を取付けたが、その他、第１脚体３，３及び第２脚体４，４は被取付部材１５ｂ，１５ｂのない支持体１５に取付ける構成としてもよい。
【００４０】
また、以上説明した実施の形態では、キャビネット２の一部を支持体１５に取付ける雄螺子６，６により第１脚体３，３及び第２脚体４，４を取付ける構成としたが、その他、第１脚体３，３及び第２脚体４，４は、キャビネット２取付用の雄螺子と別の雄螺子で取付ける構成としてもよい。
【００４１】
また、本発明に係る表示装置は液晶テレビジョン等の液晶表示装置である他、プラズマ表示装置、ＥＬディスプレイ等の表示装置であってもよい。
【図面の簡単な説明】
【００４２】
【図１】本発明に係る表示装置の構成を示す正面側の斜視図である。
【図２】本発明に係る表示装置の構成を示す正面図である。
【図３】本発明に係る表示装置の構成を示す背面図である。
【図４】本発明に係る表示装置の構成を示す背面側の斜視図である。
【図５】本発明に係る表示装置のキャビネット後分体を取外した状態を示す背面側の斜視図である。
【図６】本発明に係る表示装置の被取付部材の構成を示す背面図である。
【図７】本発明に係る表示装置のスタンドを取外した状態を示す背面側の斜視図である。
【図８】本発明に係る表示装置の要部の構成を示す縦断側面図である。
【図９】本発明に係る表示装置の要部の構成を示す拡大した縦断側面図である。
【図１０】本発明に係る表示装置の要部の構成を示す分解した縦断側面図である。
【図１１】本発明に係るスタンドの第２脚体の断面形状を示す説明図である。
【符号の説明】
【００４３】
Ａ    スタンド
１    表示装置本体（被支持物）
１１ａ  表示面
１５ｂ  被取付部材
２    キャビネット
２１  キャビネット前分体
２１ｄ  第２結合凸部
２２  キャビネット後分体
２２ａ  結合凸部
２２ｃ  嵌入孔
３    第１脚体
３１  第１接触部
３２  第１取付部
４    第２脚体
４０  脚体本体
４１  第２接触部
４３  第２取付部
４４  取付片
５１  第１孔
５２  第２孔
５３  第３孔
５４  第４孔
５５  第５孔
６    雄螺子（取付部材）
【図１】
2009284077.tif 000003
【図２】
2009284077.tif 000004
【図３】
2009284077.tif 000005
【図４】
2009284077.tif 000006
【図５】
2009284077.tif 000007
【図６】
2009284077.tif 000008
【図７】
2009284077.tif 000009
【図８】
2009284077.tif 000010
【図９】
2009284077.tif 000011
【図１０】
2009284077.tif 000012
【図１１】
2009284077.tif 000013